(57)【要約】      （修正有）【課題】装置本体から突起する電源スイッチを設けずに、見栄えを向上させた電子計量装置を提供する。【解決手段】計量部１と、計量部１を起動する起動部２と、を有する。計量部１は、装置本体上部に設けられる載置台１０に載せられた計量対象物の重量を測定するロードセル１１と、ロードセル１１による測定結果を表示する表示部１２と、を有する。起動部２は、装置本体に形成される平坦面３０ａに対する接触を検知する接触センサ２０と、接触センサ２０の検出結果に基づき平坦面３０ａに対してスライド接触操作がなされたか否かを判定するスライド操作判定部と、スライド接触操作がなされたとスライド操作判定部が判定した場合に計量部１を起動する起動実行部と、を有する。【選択図】図２
0003187032.tif 000002
【実用新案登録請求の範囲】
【請求項１】
計量部と、前記計量部を起動する起動部と、を備え、
前記計量部は、装置本体上部に設けられる載置台に載せられた計量対象物の重量を測定するロードセルと、前記ロードセルによる測定結果を表示する表示部と、を有し、
前記起動部は、装置本体に形成される平坦面に対する接触を検知する接触センサと、前記接触センサの検出結果に基づき前記平坦面に対してスライド接触操作がなされたか否かを判定するスライド操作判定部と、スライド接触操作がなされたと前記スライド操作判定部が判定した場合に上記計量部を起動する起動実行部と、を有する電子計量装置。
【請求項２】
配置位置によって定まる検出領域に対する接触を検知する接触センサが複数設けられ、前記複数の接触センサは、各々の接触センサの検出領域が前記平坦面において仮想直線に沿って並ぶように配列されており、
前記スライド操作判定部は、前記仮想直線の一端にある前記検出領域から他端にある前記検出領域まで順次接触が検出されたときに、前記スライド接触操作がなされたと判定するように構成されている請求項１に記載の電子計量装置。
【請求項３】
前記１つの検出領域に対応して１つの発光部が配置されており、
前記発光部は、対応する検出領域に対する接触が検知されたときに発光する請求項２に記載の電子計量装置。
【請求項４】
前記平坦面は、透光性を有する透光部材に形成されており、
前記透光部材の下方に前記発光部が配置されている請求項３に記載の電子計量装置。
【請求項５】
前記スライド操作判定部は、前記仮想直線の一端にある前記検出領域への接触が検出された時点から他端にある前記検出領域への接触が検出されるまで経過時間を計測し、前記経過時間が所定時間を経過した場合には、誤操作がなされたと判断する請求項２〜４のいずれかに記載の電子計量装置。
【考案の詳細な説明】
【技術分野】
【０００１】
本考案は、食材などの重量を測定する電子計量装置に関する。
【背景技術】
【０００２】
キッチンスケールなどの電子計量装置では、重量を量りたい物を載置台に載せて重量を測定し、液晶などの表示部に測定結果を表示するものが一般的である。
【０００３】
例えば特許文献１には、装置本体の上部に設けられる計量対象物を載せる載台と、計量対象物の重量を検知するロードセルと、ロードセルの検知結果をデジタルデータに変換する電気処理部と、電気処理部からのデータを受けて検知結果をデジタル表示する表示部とを備えるキッチンスケールが開示されている。
【先行技術文献】
【特許文献】
【０００４】
【特許文献１】実用新案登録第３１７４１２１号公報
【考案の概要】
【考案が解決しようとする課題】
【０００５】
従来の電子計量装置は、一般的に、装置本体の上部又は側部に、スライド式又は押圧式の機械的な電源スイッチが設けられている。電源スイッチを操作することにより電源が投入され、計量可能となる。
【０００６】
しかしながら、どのように配置したとしても電源スイッチは装置本体から突出するので、スタイリッシュなデザインを追求するにあたり、見栄えが損なわれてしまう。
【０００７】
本考案は、このような課題に着目してなされたものであって、その目的は、装置本体から突起する電源スイッチを設けずに、見栄えを向上させた電子計量装置を提供することである。
【課題を解決するための手段】
【０００８】
本考案は、かかる目的を達成するために、次のような手段を講じたものである。
【０００９】
すなわち、本考案の電子計量装置は、計量部と、前記計量部を起動する起動部と、を備え、前記計量部は、装置本体上部に設けられる載置台に載せられた計量対象物の重量を測定するロードセルと、前記ロードセルによる測定結果を表示する表示部と、を有し、前記起動部は、装置本体に形成される平坦面に対する接触を検知する接触センサと、前記接触センサの検出結果に基づき前記平坦面に対してスライド接触操作がなされたか否かを判定するスライド操作判定部と、スライド接触操作がなされたと前記スライド操作判定部が判定した場合に上記計量部を起動する起動実行部と、を有する。
【００１０】
このように、装置本体に形成した平坦面に対する接触を検知する接触センサを設け、平坦面に対するスライド接触操作がなされたと判定されたときに電源を投入するように構成しているので、装置本体から突出する電源スイッチを設けなくとも電源投入可能となり、見栄えを向上させてスタイリッシュなデザインを追求することが可能になる。
【００１１】
スライド接触操作の判定を簡単な構成で実現するためには、配置位置によって定まる検出領域に対する接触を検知する接触センサが複数設けられ、前記複数の接触センサは、各々の接触センサの検出領域が前記平坦面において仮想直線に沿って並ぶように配列されており、前記スライド操作判定部は、前記仮想直線の一端にある前記検出領域から他端にある前記検出領域まで順次接触が検出されたときに、前記スライド接触操作がなされたと判定するように構成されていることが好ましい。
【００１２】
ユーザにとって理解しやすいインターフェイスを提供するためには、前記１つの検出領域に対応して１つの発光部が配置されており、前記発光部は、対応する検出領域に対する接触が検知されたときに発光することが好ましい。
【００１３】
見栄えを向上させるためには、前記平坦面は、透光性を有する透光部材に形成されており、前記透光部材の下方に前記発光部が配置されていることが好ましい。
【００１４】
誤動作を防止するためには、前記スライド操作判定部は、前記仮想直線の一端にある前記検出領域への接触が検出された時点から他端にある前記検出領域への接触が検出されるまで経過時間を計測し、前記経過時間が所定時間を経過した場合には、誤操作がなされたと判断することが好ましい。
【考案の効果】
【００１５】
本考案は、以上説明した構成であるから、装置本体から突出する電源スイッチを設けなくとも電源投入可能となり、見栄えを向上させてスタイリッシュなデザインを追求することが可能になる。
【図面の簡単な説明】
【００１６】
【図１】本考案の一実施形態に係る電子計量装置を示す平面図。
【図２】電子軽量装置を示す分解斜視図。
【図３】電子軽量装置を示すブロック図。
【図４Ａ】接触センサの検出領域及び発光部に関する説明図。
【図４Ｂ】接触センサの検出領域及び発光部に関する説明図。
【図４Ｃ】接触センサの検出領域及び発光部に関する説明図。
【図５Ａ】電子軽量装置が実行する起動制御処理ルーチンを示すフローチャート。
【図５Ｂ】電子軽量装置が実行する起動制御処理ルーチンを示すフローチャート。
【図６】電子軽量装置が実行する誤操作判定処理ルーチンを示すフローチャート。
【考案を実施するための形態】
【００１７】
以下、本考案の一実施形態の電子計量装置を、図面を参照して説明する。
【００１８】
図１〜３に示すように、本実施形態の電子計量装置は、計量部１と、計量部１を起動する起動部２とを有する。
【００１９】
計量部１は、装置本体上部に設けられる載置台１０と、載置台１０に載せられた計量対象物の重量を計測するロードセル１１と、ロードセル１１による測定結果を表示する液晶などの表示部１２と、を有する。上記各部（１１，１２）は、ＭＣＵ１３（Memory Control Unit）より制御される。具体的には、図２に示すように、載置台となる透光部材で形成される天板３０と、各電子部品を取り付けるための中間板３１と、装置本体のケース３２と、を有する。天板３０は、載置台となる平坦面３０ａを有する。
【００２０】
図２及び図３に示すように、起動部２は、接触センサ２０と、スライド操作判定部２１と、起動実行部２２と、発光部２３と、を有する。
【００２１】
接触センサ２０は、装置本体に形成される平坦面３０ａに対する接触を検知する。具体的には、配置位置によって定まる検出領域に対する接触を検知する接触センサ２０（２０ａ〜２０ｆ）が複数設けられている。本実施形態において、接触センサ２０（２０ａ〜２０ｆ）には、静電容量式タッチセンサを採用しているが、接触を検出することができれば、これに限定されない。本実施形態においては、図４Ａに示すように、複数の接触センサ２０（２０ａ〜２０ｆ）は、各々のセンサの検出領域（Ａｒ１〜Ａｒ６）が平坦面３０ａにおいて仮想直線Ｌに沿って並ぶように配列されている。なお、図１に示すように、検出領域には、スライドにより起動する旨の文字及び図形が描かれている。
【００２２】
図３に示すスライド操作判定部２１は、接触センサ２０の検出結果に基づき平坦面３０ａに対してスライド接触操作（図４Ｃにて示す指でなぞる操作）がなされてか否かを判定する。具体的には、スライド操作判定部２１は、仮想直線Ｌの一端にある検出領域Ａｒ１から他端にある検出領域Ａｒ６まで順次接触が検出されたときに、スライド接触操作がなされたと判定するように構成されている。
【００２３】
図３に示す起動実行部２２は、スライド接触操作がなされたとスライド操作判定部２１が判定した場合に上記計量部１を起動する。これにより、図４Ａに示す待機モードから図１に示す計量可能な計測モードとなる。
【００２４】
図４Ａに示すように、発光部２３（２３ａ〜２３ｆ）は、１つの検出領域（Ａｒ１〜Ａｒ６）に対応して１つの発光部が配置されたもので、本実施形態ではＬＥＤ（Light Emitting Diode）を用いている。図４Ｂに示すように、発光部２３（２３ａ）は、対応する検出領域（Ａｒ１）に対する接触が検知されたときに発光する。図２に示す通り、平坦面３０ａは、透光性を有する透光部材である天板３０に形成されており、この天板３０の下方に発光部２３が配置される。
【００２５】
上記装置の動作を説明する。
【００２６】
図４Ａに示すように、初期状態では、待機モードであり、全ての発光部２３（２３ａ〜２３ｆ）は消灯している。
【００２７】
図４Ｂに示すように、指で仮想直線Ｌの一端にある検出領域Ａｒ１を接触すれば、当該検出領域Ａｒ１への接触が検出される（図５ＡのＳ１００参照）。そうすると、検出領域Ａｒ１に対応する発光部２３ａが点灯する（図５ＡのＳ１０２参照）。また、経過時間の計測が開始される（図５ＡのＳ１０１参照）。
【００２８】
図４Ｃに示すように、仮想直線Ｌの一端にある検出領域Ａｒ１から他端にある検出領域Ａｒ６まで順次接触が検出されると（図５Ａ〜５ＢにおけるＳ１００、Ｓ１０３、Ｓ１０５、Ｓ１０７、Ｓ１０９、Ｓ１１１参照）、対応する発光部２３ａ〜２３ｆが順次点灯する（図５Ａ〜５ＢにおけるＳ１０２、Ｓ１０４、Ｓ１０６，Ｓ１０８，Ｓ１１０、Ｓ１１２参照）。他端にある検出領域Ａｒ６への接触が検出されると、計量部１が起動し、図１に示すように、計測可能なモードが実行される（図５ＢのＳ１１３参照）。
【００２９】
なお、図３に示すスライド操作判定部２１は、仮想直線Ｌの一端にある検出領域Ａｒ１への接触が検出された時点から他端にある検出領域Ａｒ６への接触が検出されるまで経過時間を計測し、経過時間が所定時間を経過した場合（図６のＳ２００：ＹＥＳ参照）には、誤操作がなされたと判断する（図６のＳ２０１参照）。誤操作がなされたと判定されれば、全ての発光部２３（２３ａ〜２３ｆ）の発光をキャンセル（消灯）し（図６のＳ２０２参照）、図４Ａに示す初期状態に戻る。所定時間としては例えば２秒程度を設定することが好ましい。
【００３０】
以上のように、本実施形態の電子計量装置は、計量部１と、計量部１を起動する起動部２と、を備える。計量部１は、装置本体上部に設けられる載置台１０に載せられた計量対象物の重量を測定するロードセル１１と、ロードセル１１による測定結果を表示する表示部１２と、を有する。起動部２は、装置本体に形成される平坦面３０ａに対する接触を検知する接触センサ２０と、接触センサ２０の検出結果に基づき平坦面３０ａに対してスライド接触操作がなされたか否かを判定するスライド操作判定部２１と、スライド接触操作がなされたとスライド操作判定部２１が判定した場合に計量部１を起動する起動実行部２２と、を有する。
【００３１】
このように、装置本体に形成した平坦面３０ａに対する接触を検知する接触センサ２０を設け、平坦面３０ａに対するスライド接触操作がなされたと判定されたときに電源を投入するように構成しているので、装置本体から突出する電源スイッチを設けなくとも電源投入可能となり、見栄えを向上させてスタイリッシュなデザインを追求することが可能になる。
【００３２】
本実施形態では、配置位置によって定まる検出領域に対する接触を検知するセンサが複数設けられ、前記複数の接触センサ２０（２０ａ〜２０ｆ）は、各々の接触センサの検出領域（Ａｒ１〜Ａｒ６）が平坦面３０ａにおいて仮想直線Ｌに沿って並ぶように配列されている。スライド操作判定部２１は、仮想直線Ｌの一端にある検出領域Ａｒ１から他端にある検出領域Ａｒ６まで順次接触が検出されたときに、スライド接触操作がなされたと判定するように構成されている。
【００３３】
これにより簡単な構成でスライド接触操作がなされたか否かを判定することが可能となる。
【００３４】
本実施形態では、１つの検出領域（Ａｒ１〜Ａｒ６）に対応して１つの発光部（２３ａ〜２３ｆ）が配置されており、発光部２３は、対応する検出領域に対する接触が検知されたときに発光する。
【００３５】
このように構成すれば、接触操作に対応して発光するので、ユーザにとって理解しやすいインターフェイスを提供することが可能となる。
【００３６】
本実施形態では、平坦面３０ａは、透光性を有する透光部材である天板３０に形成されており、透光部材（天板３０）の下方に発光部２３が配置されている。
【００３７】
この構成によれば、透光部材（天板３０）の下方に配置された発光部２３が発光し、その光が透光部材（天板３０）を介して視認できるので、発光部２３を透光部材の下方に配置することにより、見栄えを向上させることが可能となる。
【００３８】
本実施形態では、スライド操作判定部２１は、仮想直線Ｌの一端にある検出領域Ａｒ１への接触が検出された時点から他端にある検出領域Ａｒ６への接触が検出されるまで経過時間を計測し、経過時間が所定時間を経過した場合には、誤操作がなされたと判断する。
【００３９】
このように構成すれば、誤操作により電源が投入されることを避けて、誤動作を防止することが可能となる。
【００４０】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００４１】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００４２】
１…計量部
１０…載置台
１１…ロードセル
１２…表示部
２…起動部
２０（２０ａ〜２０ｆ）…接触センサ
２１…スライド操作判定部
２２…起動実行部
２３（２３ａ〜２３ｆ）…発光部
３０…天板（透光部材）
３０ａ…平坦面
Ｌ…仮想直線
Ａｒ１〜Ａｒ６…検出領域
【図１】
0003187032.tif 000003
【図２】
0003187032.tif 000004
【図３】
0003187032.tif 000005
【図４Ａ】
0003187032.tif 000006
【図４Ｂ】
0003187032.tif 000007
【図４Ｃ】
0003187032.tif 000008
【図５Ａ】
0003187032.tif 000009
【図５Ｂ】
0003187032.tif 000010
【図６】
0003187032.tif 000011